(57)【要約】      （修正有）【課題】商品表示部を上方に立たせた状態を長時間保持させて、商品に関する情報を確実に視認することが可能な商品表示ラベル付き包装体を提供すること。【解決手段】商品表示付き包装体は、複数個の物品を熱収縮性フィルム２で覆い、加熱して前記フィルムを収縮させることにより前記物品を固定および保持してなる物品の包装体１と、前記包装体の前側面または後側面から上方に立ち上がる商品表示部１１、および前記商品表示部の左右下端部より突出し、前記包装体の左右側面と接合する左右突片部を有する商品表示シート１０と、を具備する。【選択図】図１
2007269333.tif 000002
【特許請求の範囲】
【請求項１】
複数個の物品を熱収縮性フィルムで覆い、加熱して前記フィルムを収縮させることにより前記物品を固定および保持してなる物品の包装体と、
前記包装体の前側面または後側面から上方に立ち上がる商品表示部、および前記商品表示部の左右下端部より突出し、前記包装体の左右側面と接合する左右突片部を有する商品表示シートと、
を具備することを特徴とする商品表示シート付き包装体。
【請求項２】
前記複数個の物品は、前記包装体の上面、下面、および左右側面に沿って、前側面から後側面にかけて並列に配置された請求項１記載の商品表示シート付き包装体。
【請求項３】
前記物品は円筒形物品であり、
前記商品表示部は、前記包装体の前側面または後側面において、最端に位置する円筒形物品の筒状側部に対応する部分から上方に立ち上がり、
前記左右突片部は、前記包装体の左右側面において、前記円筒形物品の左右端面と対応する部分に接合する請求項２記載の商品表示シート付き包装体。
【請求項４】
前記商品表示部の下端縁部が、前記包装体の前側面または後側面と接合する請求項１〜３のいずれかに記載の商品表示シート付き包装体。
【請求項５】
前記物品の左右端面の少なくも一方が中央に凸部を有し、
前記包装体において、前記凸部を有する前記端面に対応する部分に接合する前記接合部が、中央部から周縁部にかけて放射状に延びる複数の切り込み線を有する請求項１〜３のいずれかに記載の商品表示シート付き包装体。
【請求項６】
前記フィルムは、隣接する前記物品の境界部に切離線を有し、
前記左右突片部は、前記包装体の左右側面において、前記商品表示部側の最端に位置する前記物品の左右端面と対応する部分に接合する請求項２または３記載の商品表示シート付き包装体。
【請求項７】
前記突片部は、前記包装体と接合する接合部と、前記接合部と前記商品表示部との間に配され、前記接合部および前記商品表示部の境界に、それぞれ折り曲げ可能な折曲線を有する折り曲げ部とからなる請求項３記載の商品表示シート付き包装体。
【請求項８】
前記接合部は円形である請求項３記載の商品表示シート付き包装体。
【請求項９】
前記熱収縮性フィルムは、厚さ４０〜１００μｍのポリエチレンテレフタレートからなるフィルムである請求項１記載の商品表示シート付き包装体。
【請求項１０】
前記折り曲げ部は、前記円筒形物品の軸を含む水平面よりも下方に位置する請求項３記載の商品表示シート付き包装体。
【発明の詳細な説明】
【技術分野】
【０００１】
本発明は、電池等の物品を複数個収納してなる商品表示シート付き包装体に関する。
【背景技術】
【０００２】
従来から、種々の物品の包装体が考案され、実用化されている。例えば、並列に集合した複数個の円筒形物品を熱収縮性フィルムで覆い、加熱して前記フィルムを熱収縮させることにより前記物品を固定および保持してなる円筒形物品の包装体が用いられている。そして、包装体内の商品に関する情報を表示するために、包装体の表面に商品表示シートが貼付されている。
しかし、包装体の表面に商品表示シートを貼付すると、包装体内の商品自体の表示ラベルを視認することが困難となる場合がある。
【０００３】
上記の問題を解決する方法として、例えば、特許文献１では、図９に示すように、向きを揃えて並列に配置した複数個の電池２３を熱収縮性フィルム２２で覆い、加熱してフィルム２２を収縮させることにより電池２３を固定および保持してなる電池パック２１と、電池パック２１の下面２６ｂに接合する接合部２９、および接合部２９の端縁部から延設された商品表示部２８からなる商品表示ラベル２７とを備え、商品表示ラベル２７において接合部２９と商品表示部２８との境界付近を電池２３の形状に沿うように大きく湾曲させることにより、商品表示部２８を上方に立たせた状態とする商品表示シート付き電池パックが提案されている。
【０００４】
しかし、商品表示ラベル２７が大きく湾曲した状態を長時間維持することは困難であり、商品表示部２８を常に上方に立たせた状態で長時間展示することは難しい。
また、電池２３を個々に切り離し易くするために上面２６ａおよび下面２６ｂにおける隣接する電池の境界部にミシン目を設ける場合、接合部２９が下面２６ｂのミシン目上を覆っているため、電池２３の切り離しが困難となる。この状態で無理に電池２３を切り離そうとすると、その力が商品表示ラベル２７に加わることにより、商品表示ラベル２７が電池パックから脱離しやすい。また、ミシン目に沿って電池２３とともに接合部２９の一部が切り離された場合、接合部２９と電池パック２１との接合面積が小さくなり、電池パック２１から商品表示ラベル２７が脱離しやすくなる。
【特許文献１】特開２００３−１４２０５５号公報
【発明の開示】
【発明が解決しようとする課題】
【０００５】
そこで、本発明は、商品表示部を上方に立たせた状態を長時間保持させて、商品に関する情報を確実に視認することが可能な商品表示ラベル付き包装体を提供することを目的とする。
【課題を解決するための手段】
【０００６】
本発明の商品表示シート付き包装体は、複数個の物品を熱収縮性フィルムで覆い、加熱して前記フィルムを収縮させることにより前記物品を固定および保持してなる物品の包装体と、前記包装体の前側面または後側面から上方に立ち上がる商品表示部、および前記商品表示部の左右下端部より突出し、前記包装体の左右側面と接合する左右突片部を有する商品表示シートと、を具備することを特徴とする。
【０００７】
換言すると、本発明は、物品複数個、および前記物品複数個を覆いかつ固定して保持する樹脂製フィルムを含む包装体と、商品表示シート、ならびに前記商品表示シートの左下端部および右下端部にそれぞれ設けられた左側突片部および右側突片部、を含む商品表示部と、を具備し、前記商品表示部が、前記左側突片部および前記右側突片部がそれぞれ前記包装体の左側面および右側面に接合されることによって、前記包装体の前側面または後側面において上方に立ち上がるように設けられていること、を特徴とする商品表示シート付き包装体を提供する。
前記物品複数個が、前記包装体の前側面から後側面にかけて並列に配置されていること、すなわち、前記複数個の物品は、前記包装体の上面、下面、および左右側面に沿って、前側面側から後側面側にかけて並列に配置されること、が好ましい。
【０００８】
前記物品は円筒形物品であり、前記商品表示部は、前記包装体の前側面または後側面において、最端に位置する円筒形物品の筒状側部に対応する部分から上方に立ち上がり、前記左右突片部は、前記包装体の左右側面において、前記円筒形物品の左右端面と対応する部分に接合すること、が好ましい。
換言すれば、前記物品が円筒形物品であり、前記商品表示部が、前記包装体の前側面または後側面に位置する前記円筒形物品の筒状側部に対応する部分から上方に立ち上がり、前記左突片部および前記右突片部が、それぞれ前記包装体の左側面および右側面において、前記円筒形物品の左端面および右端面に対応する部分に接合されていること、が好ましい。
【０００９】
前記商品表示部の下端縁部が、前記包装体の前側面または後側面と接合すること、が好ましい。
前記物品の左右端面の少なくも一方が中央に凸部を有し、前記包装体において、前記凸部を有する前記端面に対応する部分に接合する前記接合部が、中央部から周縁部にかけて放射状に延びる複数の切り込み線を有すること、が好ましい。
【００１０】
前記フィルムは、隣接する前記物品の境界部に切離線を有し、前記左右突片部は、前記包装体の左右側面において、前記商品表示部側の最端に位置する前記物品の左右端面と対応する部分に接合すること、が好ましい。
前記突片部は、前記包装体と接合する接合部と、前記接合部と前記商品表示部との間に配され、前記接合部および前記商品表示部の境界に、それぞれ折り曲げ可能な折曲線を有する折り曲げ部とからなること、が好ましい。
【００１１】
前記接合部は円形であること、が好ましい。
前記熱収縮性フィルムは、厚さ４０〜１００μｍのポリエチレンテレフタレートからなるフィルムであること、が好ましい。
前記折り曲げ部は、前記円筒形物品の軸を含む水平面よりも下方に位置していること、が好ましい。
【発明の効果】
【００１２】
本発明によれば、商品表示部を折曲または湾曲させることなく、商品表示部を上方に立たせた状態にできるため、商品表示部を上方に立たせた状態で長時間展示することができ、商品表示部の表示内容を確実に視認することができる。
また、包装体において、物品を覆う熱収縮性フィルムが透明である場合、商品表示シートは、包装体の側面のみに貼付されており、包装体の上面および下面を覆っていないため、商品展示時において包装体の上面における物品自体の表示ラベルの視認を妨げることがない。
【００１３】
包装体の上面および下面に個々の物品を切り離すための切離線が設けられた場合、商品表示シートにおける左右突片部を、包装体の左右側面において、商品表示シート側の最端に位置する物品の左右端面と対応する部分に接合することにより、商品表示シートに影響されずに物品の切り離しを容易に行うことができる。また、物品の切り離しの際に、商品ラベルが破れること、および商品表示シートが包装体から脱離することがない。
【００１４】
また、物品が左右端面の少なくとも一方に凸部を有する場合、包装体における凸部を有する端面に対応する部分に接合する接合部が、中央部から周縁部にかけて放射状に延びる複数の切り込み線を有することにより、凸部に対応する部分においても接合部を容易に端面に接着することができる。
【発明を実施するための最良の形態】
【００１５】
本発明は、複数個の物品（商品）を熱収縮性フィルムで覆い、加熱して前記フィルムを収縮させることにより前記物品を固定および保持してなる物品の包装体と、前記包装体の前側面または後側面から上方に立ち上がる商品表示部、および前記商品表示部の左右下端部より突出し、折り曲げることにより前記包装体の左右側面と接合する左右突片部を有し、前記包装体に固定された商品表示シートと、を具備する商品表示シート付き包装体に関する。
【００１６】
これにより、店頭で包装体を展示する際に、商品表示部を大きく折曲または湾曲させることなく商品表示部を上方に立たせた状態にできるため、商品表示部を上方に立たせた状態で長時間保持することができ、商品表示部の包装体側に印刷されたメーカー名や商品名等の商品情報に関する記載を確実に視認することができる。
【００１７】
包装体は、主面としての上面および下面、ならびに前側面、後側面、左側面、および右側面の側面からなる。商品表示付き包装体が、包装体の後側面から商品表示部が立ち上がり、商品表示部の商品情報が印刷された面が包装側に位置するように構成されている場合、店頭での展示時には、包装体は下面を下にして、前側面が通路側、後側面が展示棚の奥側に向くように、展示棚上に陳列される。熱収縮性フィルムには、例えば、包装体内の物品を視認できるように、ポリ塩化ビニル樹脂やポリエチレンテレフタレート等の透明性を有する材料が用いられ、通路側から展示棚上に展示された包装体の上面において物品の表面に表示されたラベルを視認することができる。さらに、上記の商品表示シートは、包装体の側面のみに接合し、商品表示部が包装体の後側面より上方に立ち上がり、包装体の上面を覆っていないため、商品表示シートにより、包装体の上面における物品自体のラベル（例えば、商品名等）の視認が妨げられない。
【００１８】
包装体内の複数の物品は、例えば上面、下面および左右側面に沿って、前側面から後側面にかけて並列に配置される。さらに、この時、商品の展示効果の観点から、各物品に表示されたラベルにおける商品名が包装体の上面に向くように物品の向きを揃えて配置するのが好ましい。
なお、物品の形状は、例えば、円筒形や直方体などが挙げられる。なお、商品表示部は、包装体の下面（展示棚等の設置面）に対して垂直に立ち上がっていてもよく、包装体と反対側に若干傾斜していてもよい。
【００１９】
包装体内の複数の物品を、包装体における上面、下面および左右側面に沿って、前側面から後側面にかけて並列に配し、個々の物品を切り離すために隣接する物品の境界部に切離線を設ける場合、商品表示シートにおける左右突片部を、包装体の左右側面において、商品表示シート側の最端に位置する物品の左右端面と対応する部分のみに接合するのが好ましい。商品表示シートに影響されずに物品の切り離しを容易に行うことができる。また、物品の切り離しの際に商品表示シートが切り離されることがない。
【００２０】
物品が左右端面（包装体の左右側面に対応する部分）の少なくとも一方に凸部を有する場合、凸部を有する端面に対応する突片部が中央から周縁部にかけて放射状に延びる複数の切り込み線を有するのが好ましい。これにより、凸部に対応する部分においても突片部を容易に端面に接着することができる。
【００２１】
本発明の一実施の形態を以下に説明するが、本発明は以下に示す実施の形態に限定されない。本実施の形態では、物品（商品）が円筒形乾電池である例を示す。本発明に係る商品表示シート突き包装体の一実施の形態を図１〜３に示す。図１は、本発明の商品表示シート付き物品の包装体の一例を示す斜視図である。図２は、図１における包装体の斜視図であり、図３は、図１における商品表示シートの展開図である。
【００２２】
商品表示シート付き物品の包装体は、複数個の円筒形電池３を収納した包装体１と、包装体１と一体化され、包装体１の後側面７ｂから上方に立ち上がり、包装体１内の商品情報を表示した商品表示シート１０とを具備する。
図２に示すように、包装体１は、向きを揃えて並列に集合した４個の電池３を熱収縮性フィルム２で覆い、加熱してフィルム２を収縮させることにより電池３を固定および保持している。熱収縮性フィルム２には、例えば厚さが２０〜３０μｍのポリエチレンレフタレートからなるフィルムが用いられる。そして、個々の電池３を容易に切り離すことができるように、隣接する電池３の境界部にはミシン目状の切断線２ａが設けられている。
【００２３】
包装体１内の円筒形電池３は、左端面として中央に凸部４ａを有する正極端子面４、右端面として負極端子面５、および表面にラベルが表示された筒状側部６からなる。そして、包装体１において、上面９ａ、下面９ｂ、前側面７ａ、および後側面７ｂは、筒状側部６に対応し、左側面８ａは正極端子面４に対応し、右側面８ｂは負極端子面５に対応する。
【００２４】
一方、図３に示すように、商品表示シート１０は、片面に商品に関する情報が印刷された四角形の商品表示部１１、および商品表示部８の左右下端から突出する左右突片部１２ａ、１２ｂからなる。左右突片部１２ａ、１２ｂは、包装体１の左右側面８ａ、８ｂと接合する円形状の接合部１３ａ、１３ｂ、および接合部１３ａ、１３ｂと商品表示部１１との間に配された折り曲げ部１４ａ、１４ｂからなる。そして、図４に示すように、折り曲げ部１４ａ、１４ｂと、接合部１３ａ、１３ｂおよび商品表示部１１との境界部には、それぞれ折り曲げ可能な折曲線１６ａ、１６ｂが設けられている。折曲線１３ａ、１３ｂはミシン目により形成されている。左接合部１３ａには、中央部から周縁部にかけて等間隔で放射状に延びる３本の切り込み線１５が設けられている。
【００２５】
折曲線１６ａ、１６ｂに沿って折り曲げることにより、左右接合部１３ａ、１３ｂは、包装体１の左右側面８ａ、８ｂを挟むような形で左右側面８ａ、８ｂと接合し、商品表示部１１は包装体１の後側面７ｂから上方に立ち上がった状態を保持できる。また、電池３は熱収縮性フィルム２で覆われ、フィルム２を加熱して収縮させることにより電池３は固定および保持されており、フィルム２は電池３に密着した状態であるため、フィルム３とともに左右接合部１３ａ、１３ｂがずれることがない。
これにより、商品表示部１１を大きく折曲または湾曲させることなく、商品表示部１１を上方に立たせた状態を長時間保持することができ、長時間展示時に、安定した展示効果が得られる。
また、折り曲げ部１４ａ、１４ｂが正負極端面４、５の周縁部に形成されたＲ部分に対応するため、接合部１３ａ、３ｂを包装体１の左右側面８ａ、８ｂに確実に接合させることができる。
【００２６】
店頭にて展示する場合は、包装体１は、下面９ｂが展示棚の設置面、前側面７ａが通路側、および後側面７ｂが展示棚の奥側に向くように、展示棚上に陳列される。商品表示シート１０は、商品表示部１１が商品情報が印刷された面が包装体１側に位置し、包装体１の後側面７ｂから立ち上がるように、包装体１に設けられている。これにより、通路側から、商品表示部１１に印刷された商品情報を容易に視認することができる。
また、商品表示シート１０は、包装体１の上面９ａを覆うことなく包装体１の左右側面８ａ、８ｂのみに接合し、商品表示部１１が包装体１の後側面７ｂから上方に立ち上がる構成であるため、商品表示シート１０の影響を受けることなく、包装体１の上面より電池３自体の筒状側部６に表示されたラベルも容易に視認することができる。
商品表示部１１は、包装体の下面９ｂ（展示棚等の設置面）に対して垂直に立ち上がっていてもよく、包装体１と反対側に若干傾斜していてもよい。
【００２７】
図５に示すように、左接合部１３ａは、包装体１の左側面８ａにおいて、商品表示部１１側の最端に位置する電池３の凸部４ａを有する正極端子面４に対応する部分に接合している。左接合部１３ａは、中央部から周縁部にかけて等間隔で放射状に延びる３本の切り込み線１５を有するため、凸部４ａに対応する部分においても接合部１３ａを左側面８ａに接合しやすい。なお、切り込み線の数や形状は、包装体の左側面８ａにおける、電池３の凸部４ａを有する正極端子面４に対応する部分において左接合部１０ａが良好な接着性が得られるのであれば何でもよく、本発明の切り込み線の数や形状は本実施の形態の切り込み線１５に限定されるものではない。
また、反対側の円形の右接合部１３ｂは、図６に示すように、包装体１の右側面８ｂにおいて、商品表示部１１側の最端に位置する電池３の負極端子面５に対応する部分に接合している。
【００２８】
左右突片部１２ａ、１２ｂを有する商品表示部１１の下端縁部は、包装体１の後側面７ｂにおける電池３の筒状側部６の形状に対応するように湾曲しているが、接合部１３ａ、１３ｂと商品表示部１１の間に折り曲げ部１４ａ、１４ｂが存在することにより、折り曲げ部１４ａ、１４ｂにおいて湾曲させる力が吸収される。このため、商品表示部１１の下端縁部における湾曲の影響を受けて、接合部１３ａ、１３ｂは湾曲することがない。
さらに、商品表示部１１の下端縁部を包装体１の後側面７ｂと接着してもよい。この場合、商品表示シート１１はより強固に包装体１に固定することができる。
【００２９】
上記のように接合部１３ａ、１３ｂは、包装体１の左右側面８ａ、８ｂにおいて、商品表示部１１側の最端に位置する電池３の正負極端子面４、５に対応する部分に接合しているため、包装体１に固定された商品表示シート１０に影響されずに隣接する電池３の境界部に設けられたミシン目状の切離線２ａに沿って電池３を容易に切り離すことができる。また、電池３の切り離しの際に商品表示シート１１が破断することがない。
上記のように、本実施の形態では、包装体１の切離線２ａによる電池３の切り離しを容易にするために、接合部１３ａ、１３ｂは、包装体１の左右側面８ａ、８ｂにおいて、商品表示部１１側の最端に位置する電池３の正負極端子面４、５に対応する部分のみに接合しているが、包装体１に切離線２ａを設けない場合は、４つの電池３のうち少なくとも１つの電池３の負極端子面４、５に対応する部分に接合していればよい。
【００３０】
商品表示シート１０には、例えば、ポリエチレンテレフタレートからなるフィルムが用いられる。このフィルムの厚さは、取り扱い易さおよび強度の観点から４０〜１００μｍであるのが好ましい。フィルムの厚さが４０μｍ未満であると、強度が弱すぎるため、自重で湾曲する場合があり、商品表示部を上方から真っ直ぐに立ち上がる状態に保持することが困難となる。一方、フィルムの厚さが１００μｍを超えると、変形しないが、強度が強すぎるため、包装体を重ねて展示する場合に、商品表示部を折り畳む作業で大きな力が必要となる。
【００３１】
商品表示シート付き包装体は以下の方法により得られる。
ポリエチレンテレフタレートからなるフィルムシート（例えば、東洋紡（株）製、Ｅ５１００）において左右接合部１３ａ、１３ｂおよび商品表示部１１の下端縁部に対応する部分に、印刷方式または部分のり敷方式により、アクリル樹脂系の接着剤（リンテック（株）製、ＰＡＴ１  ８ＬＫ）を塗布する。次に、接着剤を塗布した位置と同期させて、間欠オフセット印刷または凸版輪転印刷により接着剤を塗布した面と反対側の面に商品表示内容を印刷する。そして、接着剤を塗布した箇所が左右接合部１３ａ、１３ｂおよび商品表示部１１の下端部に対応し、商品表示内容を印刷した部分が商品表示部１１に対応するように、刃物によるプレス切断により図３に示す形状に姿抜きをするとともに、切り込み線１５および折曲線１６ａ、１６ｂを設けて、商品表示シート１０を得る。
そして、商品表示シート１０の下端縁部を、包装体１の後側面７ｂに接着させた後、これを、商品表示シート１０側を進行方向として包装体１の幅に対応する一対のガイドに通過させて、商品表示シート１０の突片部１２ａ、１２ｂを包装体１の左右側面８ａ、８ｂへ押し倒すことにより、左右接合部１３ａ、１３ｂを包装体１の左右側面８ａ、８ｂに接着させる。
【００３２】
また、包装体１の左右側面８ａ、８ｂにおいて、包装体１内の電池３の正負極端子面４、５に対応する部分に接合する円形接合部１３ａ、１３ｂは、確実にかつ安定した状態で包装体１に接合させるためには、電池３の正負極端子面４、５よりも径が若干小さいことが好ましい。
例えば、図１に示す電池３が単３形アルカリ乾電池（径：φ１４．５ｍｍ、高さ５０ｍｍ）の場合、商品表示シート１０の寸法は、例えば、商品表示部１１の高さ：５１      ｍｍ、商品表示部１１の幅：４５ｍｍ、円形接合部１３ａ、１３ｂの径：φ１３．５ｍｍである。
また、図１に示す電池３が単４形アルカリ乾電池（径：φ１０．５ｍｍ、高さ４５ｍｍ）の場合、商品表示シート１０の寸法は、例えば、商品表示部１１の高さ：４０ｍｍ、商品表示部１１の幅：３８ｍｍ、円形接合部１３ａ、１３ｂの径：φ９．５ｍｍである。
また、折り曲げ部１４ａ、１４ｂと、接合部１３ａ、１３ｂおよび商品表示部１１との境界に設けられる折曲線１６ａ、１６ｂは、例えば、長さが０．４ｍｍの切り込み線を０．３ｍｍ間隔で設けてミシン目状に形成される。
【００３３】
商品表示シート付き包装体を複数個展示する場合、例えば、以下に示す形態で展示させることができる。
展示形態の一例として、３つの包装体１を積み重ねて積層体１７として展示する場合を図７に示す。上方から視認可能な最上段の包装体１は商品表示部１１を立たせた状態で設置し、商品表示部１１による表示の必要のない下段の２つの包装体１は、それぞれ商品表示部１１を包装体１の上面側に湾曲させた状態とし、その上に包装体１が積み重ねられている。すなわち、最上段以外の包装体１に付けられた商品表示部１１は、隣接する上段の包装体１の底部との間に配され、上方の包装体１と下方の包装体１とで挟まれ、包装体１間に収納・固定されている。これにより、複数個の包装体１を積み重ねた場合でも、各包装体１の商品表示シート１１が重なり合うことなく、最上段以外の包装体１に付けられた商品表示部１１は、外から見えないように包装体１間に安定して収納・保持することができるため、優れた展示効果が得られる。
【００３４】
また、図８に示すように、図７に示す３つの包装体１を積み重ねた積層体１７の複数個を、横に並べて展示することもできる。それぞれ最上段の包装体１は商品表示部１１を、包装体１の寸法に対応するように、等間隔に距離をおいて斜め上方に立たせた状態で展示することができ、商品表示シート１１が見やすく、複数個の包装体１をきれいに展示することができ、高い商品展示効果が得られる。
【００３５】
図８に示す展示形態では、折り曲げ部１４ａ、１４ｂは、図５および６に示すように、円筒形電池１の軸Ｘを含む水平面Ｈよりも下方に位置するのが好ましい。包装体１を横に並べて展示すると、隣接する包装体１の側面７ａ、７ｂ同士が当接する。このとき、折り曲げ部１４ａ、１４ｂが水平面Ｈに含まれる位置に存在すると、隣接する包装体１の前側面７ａが折り曲げ部１４ａ、１４ｂを有する商品表示部１１の下端縁部に当接することにより、商品表示部１１が倒れやすくなる。折り曲げ部１４ａ、１４ｂが水平面Ｈよりも下方に位置すると、商品表示部１１は折り曲げ部１４ａ、１４ｂを有する下端縁部よりも上部において、隣接する包装体１の前側面７ａと当接するため、商品表示部１１は倒れにくい。
【産業上の利用可能性】
【００３６】
本発明の商品表示シート付き包装体は、例えば、アルカリ乾電池またはマンガン乾電池などの円筒形電池を収納する包装体として好適に用いられる。
【図面の簡単な説明】
【００３７】
【図１】本発明の一実施の形態の商品表示シート付き物品の包装体の斜視図である。
【図２】図１における包装体の斜視図である。
【図３】図１における商品表示シートの展開図である。
【図４】図３における折り曲げ部付近（Ｘ部分）の拡大図である。
【図５】図１における商品表示シート付き包装体の左側面の要部正面図である。
【図６】図１における商品表示シート付き包装体の右側面の要部正面図である。
【図７】図１の商品表示シート付き包装体の複数個を積み重ねた積層体の一例を示す斜視図である。
【図８】図７の積層体の複数個を横に並べた状態の一例を示す斜視図である。
【図９】従来の商品表示シート付き電池パックの側面図である。
【符号の説明】
【００３８】
１  包装体
２  熱収縮性フィルム
２ａ  切離線
３  電池
４  正極端子面
５  負極端子面
６  筒状側部
７ａ  前側面
７ｂ  後側面
８ａ  左側面
８ｂ  右側面
９ａ  上面
９ｂ  下面
１０  商品表示シート
１１  商品表示部
１２ａ  左突片部
１２ｂ  右突片部
１３ａ  左接合部
１３ｂ  右接合部
１４ａ  左折り曲げ部
１４ｂ  右折り曲げ部
１５  切り込み線
１６ａ、１６ｂ  折曲線
１７  積層体
【図１】
2007269333.tif 000003
【図２】
2007269333.tif 000004
【図３】
2007269333.tif 000005
【図４】
2007269333.tif 000006
【図５】
2007269333.tif 000007
【図６】
2007269333.tif 000008
【図７】
2007269333.tif 000009
【図８】
2007269333.tif 000010
【図９】
2007269333.tif 000011